(57)【要約】【課題】放熱効果を高めることができる横流ファンを用いた放熱モジュールを提供する。【解決手段】  横流ファン２１と、放熱器２２と、を含み、前記横流ファン２１は、固定子２１１および回転子２１２を含み、前記回転子２１２は羽根２１２ａ、ハブ２１２ｂを含み、前記羽根２１２ａはハブ２１２ｂ周囲に環状に配列して遠心ファンを形成しており、前記ハブ２１２ｂと固定子２１１はお互いに枢結されており、前記放熱器２２は、複数の放熱フィン２２１を含み、前記横流ファン２１は前記放熱器２２の一側に設けられており、回転子２１２によって生成される気流は前記放熱器２２を通過して放熱が行われる。【選択図】  図３
2006222125.tif 000002
【特許請求の範囲】
【請求項１】
横流ファンと、放熱器と、を含み、
前記横流ファンは、ファンケース、固定子および回転子を含み、前記ファンケースの両側には対応する吸気口と排気口とが設けられており、前記回転子は羽根、ハブおよび磁石を含み、前記羽根はハブ周囲に環状に配列して遠心ファンを形成しており、前記回転子と固定子はお互いに枢結されており、前記固定子はコア、コイルおよび支持部を含み、
前記放熱器は、複数の放熱フィンを含み、
前記横流ファンは、前記放熱器の一側に設けられており、回転子によって生成される気流は吸気口から進入して排気口から吹出され、前記放熱器を通過することを特徴とする横流ファンを用いた放熱モジュール。
【請求項２】
前記羽根とハブとの間は、羽根支持部によって接続されていることを特徴とする請求項１記載の横流ファンを用いた放熱モジュール。
【請求項３】
前記放熱器の複数の放熱フィンは、平面型ベース部上に設けられていることを特徴とする請求項１記載の横流ファンを用いた放熱モジュール。
【請求項４】
前記放熱器の複数の放熱フィンは、中央突出型ベース部上に設けられていることを特徴とする請求項１記載の横流ファンを用いた放熱モジュール。
【請求項５】
前記放熱器は、柱状の放熱器であることを特徴とする請求項１記載の横流ファンを用いた放熱モジュール。
【請求項６】
横流ファンと、放熱器と、を含み、
前記横流ファンは、ファンケース、固定子および回転子を含み、前記ファンケースの両側には対応する吸気口と排気口とが設けられており、前記回転子は羽根、ハブおよび磁石を含み、前記羽根はハブ周囲に環状に配列して遠心ファンを形成しており、前記回転子と固定子はお互いに枢結されており、前記固定子はコア、コイルおよび支持部を含み、
前記放熱器は、複数の放熱フィンを含み、
前記横流ファンは、前記放熱器の両側に設けられており、回転子によって生成される気流は吸気口から進入して排気口から吹出され、前記放熱器を通過することを特徴とする横流ファンを用いた放熱モジュール。
【請求項７】
前記羽根とハブとの間は、羽根支持部によって接続されていることを特徴とする請求項６記載の横流ファンを用いた放熱モジュール。
【請求項８】
前記放熱器の複数の放熱フィンは、平面型ベース部上に設けられていることを特徴とする請求項６記載の横流ファンを用いた放熱モジュール。
【請求項９】
前記放熱器の複数の放熱フィンは、中央突出型ベース部上に設けられていることを特徴とする請求項６記載の横流ファンを用いた放熱モジュール。
【請求項１０】
前記放熱器は、柱状の放熱器であることを特徴とする請求項６記載の横流ファンを用いた放熱モジュール。
【請求項１１】
横流ファンと、放熱器と、を含み、
前記横流ファンは、ファンケース、固定子および回転子を含み、前記ファンケースの一側には吸気口が設けられており、前記吸気口と隣合う一側には排気口が設けられており、前記回転子は羽根、ハブおよび磁石を含み、前記羽根はハブ周囲に環状に配列して遠心ファンを形成しており、前記回転子と固定子はお互いに枢結されており、前記固定子はコア、コイルおよび支持部を含み、
前記放熱器は、複数の放熱フィンを含み、前記放熱フィン間には通風路が形成されており、
前記横流ファンは、前記放熱器の一側に設けられており、回転子によって生成される気流は吸気口から進入して排気口から吹出され、前記放熱器を通過することを特徴とする横流ファンを用いた放熱モジュール。
【請求項１２】
前記羽根とハブとの間は、羽根支持部によって接続されていることを特徴とする請求項１１記載の横流ファンを用いた放熱モジュール。
【請求項１３】
前記放熱器の複数の放熱フィンは、平面型ベース部上に設けられていることを特徴とする請求項１１記載の横流ファンを用いた放熱モジュール。
【請求項１４】
前記放熱器の複数の放熱フィンは、中央突出型ベース部上に設けられていることを特徴とする請求項１１記載の横流ファンを用いた放熱モジュール。
【請求項１５】
前記放熱器は、柱状の放熱器であることを特徴とする請求項１１記載の横流ファンを用いた放熱モジュール。
【請求項１６】
横流ファンと、放熱器と、を含み、
前記横流ファンは、ファンケース、固定子および回転子を含み、前記ファンケースの一側には吸気口が設けられており、前記吸気口と隣合う一側には排気口が設けられており、前記回転子は羽根、ハブおよび磁石を含み、前記羽根はハブ周囲に環状に配列して遠心ファンを形成しており、前記回転子と固定子はお互いに枢結されており、前記固定子はコア、コイルおよび支持部を含み、
前記放熱器は、複数の放熱フィンを含み、前記放熱フィン間には通風路が形成されており、
前記横流ファンは、前記放熱器の両側に設けられており、回転子によって生成される気流は吸気口から進入して排気口から吹出され、前記放熱器を通過することを特徴とする横流ファンを用いた放熱モジュール。
【請求項１７】
前記羽根とハブとの間は、羽根支持部によって接続されていることを特徴とする請求項１６記載の横流ファンを用いた放熱モジュール。
【請求項１８】
前記放熱器の複数の放熱フィンは、平面型ベース部上に設けられていることを特徴とする請求項１６記載の横流ファンを用いた放熱モジュール。
【請求項１９】
前記放熱器の複数の放熱フィンは、中央突出型ベース部上に設けられていることを特徴とする請求項１６記載の横流ファンを用いた放熱モジュール。
【請求項２０】
前記放熱器は、柱状の放熱器であることを特徴とする請求項１６記載の横流ファンを用いた放熱モジュール。
【請求項２１】
横流ファンと、放熱器と、を含み、
前記横流ファンは、固定子および回転子を含み、前記ファンケースの両側には対応する吸気口と排気口とが設けられており、前記回転子は羽根、ハブおよび磁石を含み、前記羽根はハブ周囲に環状に配列して遠心ファンを形成しており、前記回転子と固定子はお互いに枢結されており、前記固定子はコア、コイルおよび支持部を含み、
前記放熱器は、複数の放熱フィンを含み、
前記横流ファンは、前記放熱器の一側に設けられており、回転子によって生成される気流は前記放熱器を通過することを特徴とする横流ファンを用いた放熱モジュール。
【請求項２２】
前記横流ファンは、ファンケースを含むことを特徴とする請求項２１記載の横流ファンを用いた放熱モジュール。
【請求項２３】
前記羽根とハブとの間は、羽根支持部によって接続されていることを特徴とする請求項２１記載の横流ファンを用いた放熱モジュール。
【請求項２４】
前記放熱器の複数の放熱フィンは、平面型ベース部上に設けられていることを特徴とする請求項２１記載の横流ファンを用いた放熱モジュール。
【請求項２５】
前記放熱器の複数の放熱フィンは、中央突出型ベース部上に設けられていることを特徴とする請求項２１記載の横流ファンを用いた放熱モジュール。
【請求項２６】
前記放熱器は、柱状の放熱器であることを特徴とする請求項２１記載の横流ファンを用いた放熱モジュール。
【請求項２７】
横流ファンと、放熱器と、を含み、
前記横流ファンは、固定子および回転子を含み、前記ファンケースの両側には対応する吸気口と排気口とが設けられており、前記回転子は羽根、ハブおよび磁石を含み、前記羽根はハブ周囲に環状に配列して遠心ファンを形成しており、前記回転子と固定子はお互いに枢結されており、前記固定子はコア、コイルおよび支持部を含み、
前記放熱器は、複数の放熱フィンを含み、
前記横流ファンは前記放熱器の両側に設けられており、回転子によって生成される気流は前記放熱器を通過することを特徴とする横流ファンを用いた放熱モジュール。
【請求項２８】
前記横流ファンは、ファンケースを含むことを特徴とする請求項２７記載の横流ファンを用いた放熱モジュール。
【請求項２９】
前記羽根とハブとの間は、羽根支持部によって接続されていることを特徴とする請求項２７記載の横流ファンを用いた放熱モジュール。
【請求項３０】
前記放熱器の複数の放熱フィンは、平面型ベース部上に設けられていることを特徴とする請求項２７記載の横流ファンを用いた放熱モジュール。
【請求項３１】
前記放熱器の複数の放熱フィンは、中央突出型ベース部上に設けられていることを特徴とする請求項２７記載の横流ファンを用いた放熱モジュール。
【請求項３２】
前記放熱器は、柱状の放熱器であることを特徴とする請求項２７記載の横流ファンを用いた放熱モジュール。
【発明の詳細な説明】
【技術分野】
【０００１】
本発明は横流ファンを用いた放熱モジュールに関し、特に横流ファンと放熱器とが設けられている放熱モジュールに関わる。
【背景技術】
【０００２】
図１、２は公知構造による放熱モジュールであり、軸流ファン１１と、放熱器１２と、を含み、前記軸流ファン１１は固定子１１１、回転子１１２およびファンケース１１３から構成されており、前記回転子１１２はハブ１１２ａ、前記ハブ１１２ａの周囲に設けられている羽根１１２ｂおよび磁石１１２ｃから構成されており、前記固定子１１１は珪素鋼１１１ａ、コイル１１１ｂ、支持部１１１ｃおよび絶縁フレーム１１１ｄを含み、前記ファンケース１１３内に設置されており、前記回転子１１２と枢結されており、前記放熱器１２は複数の放熱フィン１２１および複数の放熱フィン１２１の間に形成されている通風路１２２を含む。
【０００３】
組立時は前記軸流ファン１１を前記放熱器１２上に固定し、軸流ファン１１の固定子１１１と回転子１１２による回転運動により、ハブ１１２ａおよび前記ハブ１１２ａの周囲に設けられている羽根１１２ｂが回転し、羽根１１２ｂが回転するときに生成される気流は通風路１２２を通って放熱器１２を通過し、前記放熱器１２上の熱を取り除く。
【０００４】
しかし上述の公知構造による放熱モジュールでは放熱機能において下記のような欠点が存在する。
【０００５】
前記軸流ファン１１の固定子１１１と回転子１１２とによる回転運動により、ハブ１１２ａおよび前記ハブ１１２ａの周囲に設けられている羽根１１２ｂが回転して生成される気流は羽根１１２ｂの下方に集中してしまい、ハブ１１２ａの下方に放熱の死角を形成してしまい、例えば放熱器１２を電気回路板１３１上のＣＰＵ１３上に取り付けたとき、放熱器１２の中心がちょうどＣＰＵ１３上に位置してしまい、前記放熱器１２の中心が温度が最も高いので最も放熱が必要にもかかわらず、公知構造の放熱モジュールにおいては放熱器１２の中心部分に対しては直接放熱を行うことができず全体の放熱効果が大幅に低下する。
【０００６】
前記軸流ファン１１の固定子１１１と回転子１１２とによる回転運動により、ハブ１１２ａおよび前記ハブ１１２ａの周囲に設けられている羽根１１２ｂが回転して生成され、放熱器１２の両側から吹出される気流は均一でなく、放熱器１２の両側の放熱効果に差異が生じてしまい、放熱器１２の放熱効果を高めることができない。
【発明の開示】
【発明が解決しようとする課題】
【０００７】
本発明の目的は、放熱効果を高めることができる横流ファンを用いた放熱モジュールを提供することである。
【課題を解決するための手段】
【０００８】
前記課題を解決するために、請求項１の発明は、横流ファンと、放熱器と、を含み、前記横流ファンは、ファンケース、固定子および回転子を含み、前記ファンケースの両側には対応する吸気口と排気口とが設けられており、前記回転子は羽根、ハブおよび磁石を含み、前記羽根はハブ周囲に環状に配列して遠心ファンを形成しており、前記回転子と固定子はお互いに枢結されており、前記固定子はコア、コイルおよび支持部を含み、前記放熱器は、複数の放熱フィンを含み、前記横流ファンは、前記放熱器の一側に設けられており、回転子によって生成される気流は吸気口から進入して排気口から吹出され、前記放熱器を通過することを特徴とする横流ファンを用いた放熱モジュールである。
【０００９】
請求項２の発明は、前記羽根とハブとの間は、羽根支持部によって接続されていることを特徴とする請求項１記載の横流ファンを用いた放熱モジュールである。
【００１０】
請求項３の発明は、前記放熱器の複数の放熱フィンは、平面型ベース部上に設けられていることを特徴とする請求項１記載の横流ファンを用いた放熱モジュールである。
【００１１】
請求項４の発明は、前記放熱器の複数の放熱フィンは、中央突出型ベース部上に設けられていることを特徴とする請求項１記載の横流ファンを用いた放熱モジュールである。
【００１２】
請求項５の発明は、前記放熱器は、柱状の放熱器であることを特徴とする請求項１記載の横流ファンを用いた放熱モジュールである。
【００１３】
請求項６の発明は、横流ファンと、放熱器と、を含み、前記横流ファンは、ファンケース、固定子および回転子を含み、前記ファンケースの両側には対応する吸気口と排気口とが設けられており、前記回転子は羽根、ハブおよび磁石を含み、前記羽根はハブ周囲に環状に配列して遠心ファンを形成しており、前記回転子と固定子はお互いに枢結されており、前記固定子はコア、コイルおよび支持部を含み、前記放熱器は、複数の放熱フィンを含み、前記横流ファンは、前記放熱器の両側に設けられており、回転子によって生成される気流は吸気口から進入して排気口から吹出され、前記放熱器を通過することを特徴とする横流ファンを用いた放熱モジュールである。
【００１４】
請求項７の発明は、前記羽根とハブとの間は、羽根支持部によって接続されていることを特徴とする請求項６記載の横流ファンを用いた放熱モジュールである。
【００１５】
請求項８の発明は、前記放熱器の複数の放熱フィンは、平面型ベース部上に設けられていることを特徴とする請求項６記載の横流ファンを用いた放熱モジュールである。
【００１６】
請求項９の発明は、前記放熱器の複数の放熱フィンは、中央突出型ベース部上に設けられていることを特徴とする請求項６記載の横流ファンを用いた放熱モジュールである。
【００１７】
請求項１０の発明は、前記放熱器は、柱状の放熱器であることを特徴とする請求項６記載の横流ファンを用いた放熱モジュールである。
【００１８】
請求項１１の発明は、横流ファンと、放熱器と、を含み、前記横流ファンは、ファンケース、固定子および回転子を含み、前記ファンケースの一側には吸気口が設けられており、前記吸気口と隣合う一側には排気口が設けられており、前記回転子は羽根、ハブおよび磁石を含み、前記羽根はハブ周囲に環状に配列して遠心ファンを形成しており、前記回転子と固定子はお互いに枢結されており、前記固定子はコア、コイルおよび支持部を含み、前記放熱器は、複数の放熱フィンを含み、前記放熱フィン間には通風路が形成されており、前記横流ファンは、前記放熱器の一側に設けられており、回転子によって生成される気流は吸気口から進入して排気口から吹出され、前記放熱器を通過することを特徴とする横流ファンを用いた放熱モジュールである。
【００１９】
請求項１２の発明は、前記羽根とハブとの間は、羽根支持部によって接続されていることを特徴とする請求項１１記載の横流ファンを用いた放熱モジュールである。
【００２０】
請求項１３の発明は、前記放熱器の複数の放熱フィンは、平面型ベース部上に設けられていることを特徴とする請求項１１記載の横流ファンを用いた放熱モジュールである。
【００２１】
請求項１４の発明は、前記放熱器の複数の放熱フィンは、中央突出型ベース部上に設けられていることを特徴とする請求項１１記載の横流ファンを用いた放熱モジュールである。
【００２２】
請求項１５の発明は、前記放熱器は、柱状の放熱器であることを特徴とする請求項１１記載の横流ファンを用いた放熱モジュールである。
【００２３】
請求項１６の発明は、横流ファンと、放熱器と、を含み、前記横流ファンは、ファンケース、固定子および回転子を含み、前記ファンケースの一側には吸気口が設けられており、前記吸気口と隣合う一側には排気口が設けられており、前記回転子は羽根、ハブおよび磁石を含み、前記羽根はハブ周囲に環状に配列して遠心ファンを形成しており、前記回転子と固定子はお互いに枢結されており、前記固定子はコア、コイルおよび支持部を含み、前記放熱器は、複数の放熱フィンを含み、前記放熱フィン間には通風路が形成されており、前記横流ファンは、前記放熱器の両側に設けられており、回転子によって生成される気流は吸気口から進入して排気口から吹出され、前記放熱器を通過することを特徴とする横流ファンを用いた放熱モジュールである。
【００２４】
請求項１７の発明は、前記羽根とハブとの間は、羽根支持部によって接続されていることを特徴とする請求項１６記載の横流ファンを用いた放熱モジュールである。
【００２５】
請求項１８の発明は、前記放熱器の複数の放熱フィンは、平面型ベース部上に設けられていることを特徴とする請求項１６記載の横流ファンを用いた放熱モジュールである。
【００２６】
請求項１９の発明は、前記放熱器の複数の放熱フィンは、中央突出型ベース部上に設けられていることを特徴とする請求項１６記載の横流ファンを用いた放熱モジュールである。
【００２７】
請求項２０の発明は、前記放熱器は、柱状の放熱器であることを特徴とする請求項１６記載の横流ファンを用いた放熱モジュールである。
【００２８】
請求項２１の発明は、横流ファンと、放熱器と、を含み、前記横流ファンは、固定子および回転子を含み、前記ファンケースの両側には対応する吸気口と排気口とが設けられており、前記回転子は羽根、ハブおよび磁石を含み、前記羽根はハブ周囲に環状に配列して遠心ファンを形成しており、前記回転子と固定子はお互いに枢結されており、前記固定子はコア、コイルおよび支持部を含み、前記放熱器は、複数の放熱フィンを含み、前記横流ファンは、前記放熱器の一側に設けられており、回転子によって生成される気流は前記放熱器を通過することを特徴とする横流ファンを用いた放熱モジュールである。
【００２９】
請求項２２の発明は、前記横流ファンは、ファンケースを含むことを特徴とする請求項２１記載の横流ファンを用いた放熱モジュールである。
【００３０】
請求項２３の発明は、前記羽根とハブとの間は、羽根支持部によって接続されていることを特徴とする請求項２１記載の横流ファンを用いた放熱モジュールである。
【００３１】
請求項２４の発明は、前記放熱器の複数の放熱フィンは、平面型ベース部上に設けられていることを特徴とする請求項２１記載の横流ファンを用いた放熱モジュールである。
【００３２】
請求項２５の発明は、前記放熱器の複数の放熱フィンは、中央突出型ベース部上に設けられていることを特徴とする請求項２１記載の横流ファンを用いた放熱モジュールである。
【００３３】
請求項２６の発明は、前記放熱器は、柱状の放熱器であることを特徴とする請求項２１記載の横流ファンを用いた放熱モジュールである。
【００３４】
請求項２７の発明は、横流ファンと、放熱器と、を含み、前記横流ファンは、固定子および回転子を含み、前記ファンケースの両側には対応する吸気口と排気口とが設けられており、前記回転子は羽根、ハブおよび磁石を含み、前記羽根はハブ周囲に環状に配列して遠心ファンを形成しており、前記回転子と固定子はお互いに枢結されており、前記固定子はコア、コイルおよび支持部を含み、前記放熱器は、複数の放熱フィンを含み、
前記横流ファンは前記放熱器の両側に設けられており、回転子によって生成される気流は前記放熱器を通過することを特徴とする横流ファンを用いた放熱モジュールである。
【００３５】
請求項２８の発明は、前記横流ファンは、ファンケースを含むことを特徴とする請求項２７記載の横流ファンを用いた放熱モジュールである。
【００３６】
請求項２９の発明は、前記羽根とハブとの間は、羽根支持部によって接続されていることを特徴とする請求項２７記載の横流ファンを用いた放熱モジュールである。
【００３７】
請求項３０の発明は、前記放熱器の複数の放熱フィンは、平面型ベース部上に設けられていることを特徴とする請求項２７記載の横流ファンを用いた放熱モジュールである。
【００３８】
請求項３１の発明は、前記放熱器の複数の放熱フィンは、中央突出型ベース部上に設けられていることを特徴とする請求項２７記載の横流ファンを用いた放熱モジュールである。
【００３９】
請求項３２の発明は、前記放熱器は、柱状の放熱器であることを特徴とする請求項２７記載の横流ファンを用いた放熱モジュールである。
【発明の効果】
【００４０】
本発明の放熱器の側辺に設けられている横流ファンによって生成される気流は均一に前記放熱器の各部分に達することができるので前記放熱器の全体の放熱効果を高めることができ、本発明の放熱器の側辺に設けられている横流ファンによって生成される気流が前記放熱器を通過する気流量は均一であるので前記放熱器の各通風路には全て同一の気流が流れ、本発明の放熱器の両側それぞれに横流ファンを設置することが可能であり、それにより通風路内の気流を増加させ、放熱器の放熱効果を高めることができる。
【発明を実施するための最良の形態】
【００４１】
図３は本発明の第１の好適な実施形態を示す図であり、横流ファン２１と、放熱器２２と、を含み、前記横流ファン２１は、固定子２１１および回転子２１２を含み、前記回転子２１２は羽根２１２ａ、ハブ２１２ｂおよび磁石２１２ｃを含み、前記羽根２１２ａはハブ２１２ｂ周囲に環状に配列して遠心ファンを形成しており、前記ハブ２１２ｂと固定子２１１はお互いに枢結されており、前記固定子２１１はコア２１１ａ（珪素鋼など）、コイル２１１ｂ、支持部２１１ｃおよび絶縁フレーム２１１ｄを含み、前記放熱器２２は、複数の放熱フィン２２１および前記複数の放熱フィン２２１間に形成されている通風路２２２を含み、前記横流ファン２１は前記放熱器２２の一側に設けられており、回転子２１２によって生成される気流は前記放熱器２２を通過する。
【００４２】
組立時、前記固定子２１１をファンケース２１３内に設置し、前記ハブ２１２ｂと枢結し、ハブ２１２ｂと羽根２１２ａとの間を羽根支持部２１２ｂによってお互いに接続し、最後に横流ファン２１を放熱器２２の一側に設置する。
【００４３】
図４に示すように、前記ファンケース２１３の両側にはお互いに対応する吸気口２１３ａと排気口２１３ｂとが設けられており、前記回転子２１２によって生成される気流は吸気口２１３ａから進入して排気口２１３ｂから吹出される。
【００４４】
図５、６は本発明の第２の好適な実施形態を示す図であり、その特徴は、ファンケース３１３の一側には吸気口３１３ａが設けられており、前記吸気口３１３ａと隣り合う一側には排気口３１３ｂが設けられており、回転子３１２によって生成された気流は前記吸気口３１３ａから進入した後、方向が９０度転換されて排気口３１３ｂから吹出されるという点である。
【００４５】
図７は本発明の第３の好適な実施形態を示す図であり、その特徴は、放熱器４２は、複数の放熱フィン４２１および前記複数の放熱フィン４２１間に形成されている通風路４２２を含み、前記放熱器４２の複数の放熱フィン４２１は平面型ベース部４２３上に設けられており、前記放熱器４２の両側には横流ファン４１が設けられており、両横流ファン４１によって生成される気流が通風路４２２を通って前記放熱器４２の中心に達したとき、放熱器４２の上方の風圧は通風路４２２内の風圧よりも小さいので、前記両横流ファン４１によって生成された気流は上方に排出されるという点である。
【００４６】
図８は本発明の第４の好適な実施形態を示す図であり、その特徴は、放熱器５２は、複数の放熱フィン５２１および前記複数の放熱フィン５２１間に形成されている通風路５２２を含み、前記放熱器５２の複数の放熱フィン５２１は中央突出型ベース部５２３上に設けられており、前記放熱器５２の両側には横流ファン５１が設けられており、両横流ファン５１によって生成される気流が通風路５２２を通って前記放熱器５２の中心に達したとき、放熱器５２の上方の風圧は通風路５２２内の風圧よりも小さいので、前記両横流ファン５１によって生成された気流は上方に排出されるという点である。
【００４７】
図９、１０は本発明の第５の好適な実施形態を示す図であり、その特徴は、放熱器６２は柱状の放熱器であり、複数の放熱フィン６２１および前記複数の放熱フィン６２１間に形成されている通風路６２２を含み、前記放熱器６２の複数の放熱フィン６２１はベース部６２３上に設けられており、前記放熱器６２の一側には横流ファン６１が設けられており、前記横流ファン６１によって生成される気流が通風路６２２を通って前記放熱器６２を通過するとき、前記気流が前記放熱器６２上の熱を迅速に排出するという点である。
【００４８】
この他、前記横流ファン６１を本考案の第２の好適な実施形態において示す横流ファンにすることもできる。
【００４９】
図１１、１２は本考案の第６の好適な実施形態を示す図であり、その特徴は、放熱器６２の両側には横流ファン６１が設けられており、両横流ファン６１によって生成される気流が通風路６２２を通って前記放熱器６２の中心に達したとき、放熱器６２の上方の風圧は通風路６２２内の風圧よりも小さいので、前記両横流ファン６１によって生成された気流は上方に排出されるかまたは放熱器６２の中心部を経由して外部に排出されるという点である。
【００５０】
上述の説明から分かるように、本発明と公知構造とを比較した場合、本発明は下記のような長所および機能を有することが分かる。
【００５１】
（１）本発明の放熱器２２、４２、５２、６２の側辺に設けられている横流ファン２１、４１、５１、６１によって生成される気流は均一に前記放熱器２２、４２、５２、６２の各部分に達することができるので前記放熱器２２、４２、５２、６２の全体の放熱効果を高めることができる。
【００５２】
（２）本発明の放熱器２２、４２、５２、６２の側辺に設けられている横流ファン２１、４１、５１、６１によって生成される気流が前記放熱器２２、４２、５２、６２を通過する気流量は均一であるので前記放熱器２２、４２、５２、６２の各通風路２２２、４２２、５２２、６２２には全て同一の気流が流れる。
【００５３】
（３）本発明の放熱器２２、４２、５２、６２の両側それぞれに横流ファン２１、４１、５１、６１を設置することが可能であり、それにより通風路２２２、４２２、５２２、６２２内の気流を増加させ、放熱器２２、４２、５２、６２の放熱効果を高めることができる。
【００５４】
上記の詳細な説明は本発明の好適な実施形態を示すものであり、上述の本発明の方法、形状、構造、装置を利用した変化などは全て本発明の権利範囲に含まれる。
【図面の簡単な説明】
【００５５】
【図１】公知構造の放熱モジュールを示す側面断面図である。
【図２】公知構造の放熱モジュールを示す上面図である。
【図３】本発明の第１の好適な実施形態を示す一部断面図の上面図である。
【図４】本発明の第１の好適な実施形態を示す斜視図である。
【図５】本発明の第２の好適な実施形態を示す一部断面図の上面図である。
【図６】本発明の第２の好適な実施形態を示す斜視図である。
【図７】本発明の第３の好適な実施形態を示す側面断面図である。
【図８】本発明の第４の好適な実施形態を示す側面断面図である。
【図９】本発明の第５の好適な実施形態を示す一部断面図の上面図である。
【図１０】本発明の第５の好適な実施形態を示す斜視図である。
【図１１】本発明の第６の好適な実施形態を示す一部断面図の上面図である。
【図１２】本発明の第６の好適な実施形態を示す側面断面図である。
【符号の説明】
【００５６】
２１      横流ファン
２１１    固定子
２１１ａ  コア
２１１ｂ  コイル
２１１ｃ  支持部
２１１ｄ  絶縁フレーム
２１２    回転子
２１２ａ  羽根
２１２ｂ  ハブ
２１２ｃ  磁石
２１２ｄ  羽根支持部
２１３    ファンケース
２１３ａ  吸気口
２１３ｂ  排気口
２２      放熱器
２２１    放熱フィン
２２２    通風路
３１２    回転子
３１３    ファンケース
３１３ａ  吸気口
３１３ｂ  排気口
４１      横流ファン
４２      放熱器
４２１    放熱フィン
４２２    通風路
４２３    平面型ベース部
５１      横流ファン
５２      放熱器
５２１    放熱フィン
５２２    通風路
５２３    中央突出型ベース部
６１      横流ファン
６２      放熱器
６２１    放熱フィン
６２２    通風路
６２３    ベース部
【図１】
2006222125.tif 000003
【図２】
2006222125.tif 000004
【図３】
2006222125.tif 000005
【図４】
2006222125.tif 000006
【図５】
2006222125.tif 000007
【図６】
2006222125.tif 000008
【図７】
2006222125.tif 000009
【図８】
2006222125.tif 000010
【図９】
2006222125.tif 000011
【図１０】
2006222125.tif 000012
【図１１】
2006222125.tif 000013
【図１２】
2006222125.tif 000014